(57)【要約】【課題】利用者が、極めて簡易な操作で自分の希望するイベント情報の最新情報を携帯電話機等の利用者端末のスケジュールに登録可能とする。【解決手段】イベント情報管理サーバ２は、イベント情報管理端末３からイベント主催者によるイベント情報の登録要求を受信すると、数桁の数字から成るイベントコードを発行し、イベント情報管理端末へ返送するとともに、イベント情報と対応付けて記憶手段２３に保存する。ユーザ端末４からイベント主催者のイベント情報とイベントコードとの告知を見た利用者による読出し要求のイベントコードを受信すると、当該イベントコードをキーとして記憶手段を検索し、対応するイベント情報を検出すると、当該イベント情報をユーザ端末へ返送する。利用者は、ユーザ端末で受信したイベント情報をスケジュール情報に付加して保存する。【選択図】      図１
2005050091.tif 000002
【特許請求の範囲】
【請求項１】
データ通信可能な通信ネットワークと、
前記通信ネットワークに接続され、イベント情報をイベントコードと対応付けて登録するイベント情報管理サーバと、
前記通信ネットワークを介して前記イベント情報管理サーバと接続され、イベント情報を送信し、対応するイベントコードを受信するイベント情報管理端末と、
前記通信ネットワークを介して前記イベント情報管理サーバと接続され、イベントコードを送信し、対応するイベント情報を受信する利用者端末とを備えることを特徴とするイベント情報管理システム。
【請求項２】
イベント情報管理サーバと、イベント情報管理端末と、利用者端末とを通信ネットワークを介して相互に接続し、
前記イベント情報管理端末から登録要求のイベント情報を前記イベント情報管理サーバへ送信し、
前記イベント情報管理サーバで、登録要求として受信したイベント情報を識別するためのイベントコードを発行し、当該イベントコードを登録要求した前記イベント情報管理端末へ返送するとともに、前記イベント情報と対応付けて記憶手段に保存し、
前記利用者端末から読出し要求のイベントコードを前記イベント情報管理サーバへ送信し、
前記イベント情報管理サーバで、読出し要求として受信したイベントコードをキーとして前記記憶手段を検索し、対応するイベント情報を検出すると、当該イベント情報を読出し要求した前記利用者端末へ返送し、
前記利用者端末で、受信したイベント情報をスケジュール情報に付加して保存することを特徴とするイベント情報管理方法。
【請求項３】
前記イベント情報管理端末から更新要求のイベント情報を前記イベント情報管理サーバへ送信し、
前記イベント情報管理サーバで、更新要求として受信したイベント情報で前記記憶手段に保存したイベント情報を更新することを特徴とする請求項２記載のイベント情報管理方法。
【請求項４】
前記イベント情報管理端末からイベント情報の削除要求を前記イベント情報管理サーバへ送信し、
前記イベント情報管理サーバで、削除要求されたイベント情報を前記記憶手段から削除し、対応するイベントコードの発行を取消すことを特徴とする請求項２または３記載のイベント情報管理方法。
【請求項５】
データ通信可能な通信ネットワークに接続され、前記通信ネットワークを介して外部の第１の端末からイベント情報の登録要求を受信すると、当該イベント情報を識別するためのイベントコードを発行し、当該イベントコードを前記第１の端末へ返送するとともに、前記イベント情報と対応付けて記憶手段に保存し、前記通信ネットワークを介して外部の第２の端末からイベント情報の読出し要求としてイベントコードを受信すると、当該イベントコードをキーとして前記記憶手段を検索し、対応するイベント情報を検出すると、当該イベント情報を前記第２の端末へ返送することを特徴とするイベント情報管理サーバ。
【請求項６】
前記第１の端末からイベント情報の更新要求を受信すると、当該イベント情報で前記記憶手段に保存したイベント情報を更新することを特徴とする請求項５記載のイベント情報管理サーバ。
【請求項７】
前記第１の端末からイベント情報の削除要求を受信すると、当該イベント情報を前記記憶手段から削除し、対応するイベントコードの発行を取消すことを特徴とする請求項５または６記載のイベント情報管理サーバ。
【請求項８】
イベントコードの使用中／未使用中を管理するためのイベントコード管理テーブルと、イベント情報をイベントコードと対応付けて保存するイベント情報登録テーブルとを有するイベント情報記憶手段と、
通信ネットワークを介した外部の第１の端末からのイベント情報の登録，更新，及び削除のいずれかの要求に応じて、前記イベント情報記憶手段内のイベントコード管理テーブルに対するイベントコードの捕捉／解放を管理するイベントコード管理機能と、登録要求されたイベント情報と当該イベント情報に割当てたイベントコードとを対応付けて前記イベント情報記憶手段内のイベント情報登録テーブルに保存するイベント情報登録機能と、前記イベント情報登録テーブルに保存したイベント情報を更新するイベント情報更新機能と、前記イベント情報登録テーブルに保存したイベント情報を削除するイベント情報削除機能とを有するイベント情報管理手段と、
通信ネットワークを介した外部の第２の端末からのイベント情報の読出し要求として受信したイベントコードをもとに、前記イベント情報記憶手段内のイベント情報登録テーブルを検索し、当該イベントコードが存在した場合にそのイベントコードに対応付けられたイベント情報を前記第２の端末に配信する機能を有するイベント情報配信手段とを備えることを特徴とするイベント情報管理サーバ。
【請求項９】
前記イベント情報管理手段が、前記第１の端末からのイベント情報の登録，更新，及び削除のいずれかの要求を受信する際、ＩＤ及びパスワードによる認証を行なうことを特徴とする請求項８記載のイベント情報管理サーバ。
【請求項１０】
通信ネットワークに接続されサーバとして動作するコンピュータに、前記通信ネットワークを介して外部の第１の端末からイベント情報の登録要求を受信すると、当該イベント情報を識別するためのイベントコードを発行し、当該イベントコードを前記第１の端末へ返送するとともに、前記イベント情報と対応付けて記憶手段に保存する機能と、前記通信ネットワークを介して外部の第２の端末からイベント情報の読出し要求としてイベントコードを受信すると、当該イベントコードをキーとして前記記憶手段を検索し、対応するイベント情報を検出すると、当該イベント情報を前記第２の端末へ返送する機能を実現させるためのイベント情報管理プログラム。
【請求項１１】
請求項１０記載のイベント情報管理プログラムにおいて、前記コンピュータに、前記第１の端末からイベント情報の更新要求を受信すると、当該イベント情報で前記記憶手段に保存したイベント情報を更新する機能を実現させるためのイベント情報管理プログラム。
【請求項１２】
請求項１０または１１記載のイベント情報管理プログラムにおいて、前記コンピュータに、前記第１の端末からイベント情報の削除要求を受信すると、当該イベント情報を前記記憶手段から削除し、対応するイベントコードの発行を取消す機能を実現させるためのイベント情報管理プログラム。
【請求項１３】
通信ネットワークに接続されサーバとして動作するコンピュータを、
イベントコードの使用中／未使用中を管理するためのイベントコード管理テーブルと、イベント情報をイベントコードと対応付けて保存するイベント情報登録テーブルとを有するイベント情報記憶手段と、
通信ネットワークを介した外部の第１の端末からのイベント情報の登録，更新，及び削除のいずれかの要求に応じて、前記イベント情報記憶手段内のイベントコード管理テーブルに対するイベントコードの捕捉／解放を管理するイベントコード管理機能と、登録要求されたイベント情報と当該イベント情報に割当てたイベントコードとを対応付けて前記イベント情報記憶手段内のイベント情報登録テーブルに保存するイベント情報登録機能と、前記イベント情報登録テーブルに保存したイベント情報を更新するイベント情報更新機能と、前記イベント情報登録テーブルに保存したイベント情報を削除するイベント情報削除機能とを有するイベント情報管理手段と、
通信ネットワークを介した外部の第２の端末からのイベント情報の読出し要求として受信したイベントコードをもとに、前記イベント情報記憶手段内のイベント情報登録テーブルを検索し、当該イベントコードが存在した場合にそのイベントコードに対応付けられたイベント情報を前記第２の端末に配信する機能を有するイベント情報配信手段として機能させるためのイベント情報管理プログラム。
【請求項１４】
請求項１３の記載のイベント情報管理プログラムにおいて、前記イベント情報管理手段が、前記第１の端末からのイベント情報の登録，更新，及び削除のいずれかの要求を受信する際、ＩＤ及びパスワードによる認証を行なう機能を実現させるためのイベント情報管理プログラム。
【発明の詳細な説明】
【技術分野】
【０００１】
本発明は、ネットワークを介してイベント主催者からのイベント情報を利用者の端末に登録することができるイベント情報管理サービスを提供するイベント情報管理システムとその管理方法、及びそれに用いるサーバとそのプログラムに関するものである。
【背景技術】
【０００２】
従来、イベント主催者から各種メディアを通して告知されたイベント情報に対して、イベント参加希望者は、紙などの告知媒体を持ち歩く必要があった。また、持ち歩けない媒体での告知はメモなどをする必要があった。さらにイベント主催者側は告知情報を公開した後の内容追加、変更が困難であった。
【０００３】
この改善策として、場所情報と時情報とを有する各種イベント情報をデータベース化し、参加希望者（利用者、ユーザ）の端末から通信回線を介して、場所情報と時情報とを入力することにより、対応するイベント情報を検索しユーザのカレンダー（スケジュール情報）に組み込むイベント情報管理技術が提案されている。（例えば、特許文献１参照。）
【０００４】
【特許文献１】特開２００２−２０７７４７号公報（第２−３頁、図１）
【発明の開示】
【発明が解決しようとする課題】
【０００５】
上述した従来のイベント情報管理技術では、利用者はイベント情報をスケジュールに登録するために場所情報と時情報とを正確に端末に入力しなければならないが、これら場所情報及び時情報は桁数が多いので、告知を見ながら入力する場合でも入力に手間がかかったり、後で入力する場合は覚えるのが困難で結局はメモを取る必要があった。
【０００６】
本発明の目的は、利用者が、極めて簡易な操作で自分の希望するイベント情報の最新情報を携帯電話機等の利用者端末のスケジュールに登録することを可能としたイベント情報管理システムとその管理方法、及びそれに用いるサーバとそのプログラムを提供することにある。
【課題を解決するための手段】
【０００７】
本発明の請求項１に係るイベント情報管理システムは、データ通信可能な通信ネットワークと、前記通信ネットワークに接続され、イベント情報をイベントコードと対応付けて登録するイベント情報管理サーバと、前記通信ネットワークを介して前記イベント情報管理サーバと接続され、イベント情報を送信し、対応するイベントコードを受信するイベント情報管理端末と、前記通信ネットワークを介して前記イベント情報管理サーバと接続され、イベントコードを送信し、対応するイベント情報を受信する利用者端末とを備える。
【０００８】
本発明の請求項２に係るイベント情報管理方法は、イベント情報管理サーバと、イベント情報管理端末と、利用者端末とを通信ネットワークを介して相互に接続し、前記イベント情報管理端末から登録要求のイベント情報を前記イベント情報管理サーバへ送信し、前記イベント情報管理サーバで、登録要求として受信したイベント情報を識別するためのイベントコードを発行し、当該イベントコードを登録要求した前記イベント情報管理端末へ返送するとともに、前記イベント情報と対応付けて記憶手段に保存し、前記利用者端末から読出し要求のイベントコードを前記イベント情報管理サーバへ送信し、前記イベント情報管理サーバで、読出し要求として受信したイベントコードをキーとして前記記憶手段を検索し、対応するイベント情報を検出すると、当該イベント情報を読出し要求した前記利用者端末へ返送し、前記利用者端末で、受信したイベント情報をスケジュール情報に付加して保存する工程を有する。
【０００９】
本発明の請求項３に係るイベント情報管理方法は、請求項２に係るイベント情報管理方法において、前記イベント情報管理端末から更新要求のイベント情報を前記イベント情報管理サーバへ送信し、前記イベント情報管理サーバで、更新要求として受信したイベント情報で前記記憶手段に保存したイベント情報を更新する工程を有する。
【００１０】
本発明の請求項４に係るイベント情報管理方法は、請求項２または３に係るイベント情報管理方法において、前記イベント情報管理端末からイベント情報の削除要求を前記イベント情報管理サーバへ送信し、前記イベント情報管理サーバで、削除要求されたイベント情報を前記記憶手段から削除し、対応するイベントコードの発行を取消す工程を有する。
【００１１】
本発明の請求項５に係るイベント情報管理サーバは、データ通信可能な通信ネットワークに接続され、前記通信ネットワークを介して外部の第１の端末からイベント情報の登録要求を受信すると、当該イベント情報を識別するためのイベントコードを発行し、当該イベントコードを前記第１の端末へ返送するとともに、前記イベント情報と対応付けて記憶手段に保存し、前記通信ネットワークを介して外部の第２の端末からイベント情報の読出し要求としてイベントコードを受信すると、当該イベントコードをキーとして前記記憶手段を検索し、対応するイベント情報を検出すると、当該イベント情報を前記第２の端末へ返送する構成を有する。
【００１２】
本発明の請求項６に係るイベント情報管理サーバは、請求項５に係るイベント情報管理サーバにおいて、前記第１の端末からイベント情報の更新要求を受信すると、当該イベント情報で前記記憶手段に保存したイベント情報を更新する構成を有する。
【００１３】
本発明の請求項７に係るイベント情報管理サーバは、請求項６に係るイベント情報管理サーバにおいて、前記第１の端末からイベント情報の削除要求を受信すると、当該イベント情報を前記記憶手段から削除し、対応するイベントコードの発行を取消す構成を有する。
【００１４】
本発明の請求項８に係るイベント情報管理サーバは、イベントコードの使用中／未使用中を管理するためのイベントコード管理テーブルと、イベント情報をイベントコードと対応付けて保存するイベント情報登録テーブルとを有するイベント情報記憶手段と、通信ネットワークを介した外部の第１の端末からのイベント情報の登録，更新，及び削除のいずれかの要求に応じて、前記イベント情報記憶手段内のイベントコード管理テーブルに対するイベントコードの捕捉／解放を管理するイベントコード管理機能と、登録要求されたイベント情報と当該イベント情報に割当てたイベントコードとを対応付けて前記イベント情報記憶手段内のイベント情報登録テーブルに保存するイベント情報登録機能と、前記イベント情報登録テーブルに保存したイベント情報を更新するイベント情報更新機能と、前記イベント情報登録テーブルに保存したイベント情報を削除するイベント情報削除機能とを有するイベント情報管理手段と、通信ネットワークを介した外部の第２の端末からのイベント情報の読出し要求として受信したイベントコードをもとに、前記イベント情報記憶手段内のイベント情報登録テーブルを検索し、当該イベントコードが存在した場合にそのイベントコードに対応付けられたイベント情報を前記第２の端末に配信する機能を有するイベント情報配信手段とを備える。
【００１５】
本発明の請求項９に係るイベント情報管理サーバは、請求項８に係るイベント情報管理サーバにおいて、前記イベント情報管理手段が、前記第１の端末からのイベント情報の登録，更新，及び削除のいずれかの要求を受信する際、ＩＤ及びパスワードによる認証を行なう構成を有する。
【００１６】
本発明の請求項１０に係るイベント情報管理プログラムは、通信ネットワークに接続されサーバとして動作するコンピュータに、前記通信ネットワークを介して外部の第１の端末からイベント情報の登録要求を受信すると、当該イベント情報を識別するためのイベントコードを発行し、当該イベントコードを前記第１の端末へ返送するとともに、前記イベント情報と対応付けて記憶手段に保存する機能と、前記通信ネットワークを介して外部の第２の端末からイベント情報の読出し要求としてイベントコードを受信すると、当該イベントコードをキーとして前記記憶手段を検索し、対応するイベント情報を検出すると、当該イベント情報を前記第２の端末へ返送する機能を実現させる。
【００１７】
本発明の請求項１１に係るイベント情報管理プログラムは、請求項１０に係るイベント情報管理プログラムにおいて、前記コンピュータに、前記第１の端末からイベント情報の更新要求を受信すると、当該イベント情報で前記記憶手段に保存したイベント情報を更新する機能を実現させる。
【００１８】
本発明の請求項１２に係るイベント情報管理プログラムは、請求項１０または１１に係るイベント情報管理プログラムにおいて、前記コンピュータに、前記第１の端末からイベント情報の削除要求を受信すると、当該イベント情報を前記記憶手段から削除し、対応するイベントコードの発行を取消す機能を実現させる。
【００１９】
本発明の請求項１３に係るイベント情報管理プログラムは、通信ネットワークに接続されサーバとして動作するコンピュータを、イベントコードの使用中／未使用中を管理するためのイベントコード管理テーブルと、イベント情報をイベントコードと対応付けて保存するイベント情報登録テーブルとを有するイベント情報記憶手段と、通信ネットワークを介した外部の第１の端末からのイベント情報の登録，更新，及び削除のいずれかの要求に応じて、前記イベント情報記憶手段内のイベントコード管理テーブルに対するイベントコードの捕捉／解放を管理するイベントコード管理機能と、登録要求されたイベント情報と当該イベント情報に割当てたイベントコードとを対応付けて前記イベント情報記憶手段内のイベント情報登録テーブルに保存するイベント情報登録機能と、前記イベント情報登録テーブルに保存したイベント情報を更新するイベント情報更新機能と、前記イベント情報登録テーブルに保存したイベント情報を削除するイベント情報削除機能とを有するイベント情報管理手段と、通信ネットワークを介した外部の第２の端末からのイベント情報の読出し要求として受信したイベントコードをもとに、前記イベント情報記憶手段内のイベント情報登録テーブルを検索し、当該イベントコードが存在した場合にそのイベントコードに対応付けられたイベント情報を前記第２の端末に配信する機能を有するイベント情報配信手段として機能させる。
【００２０】
本発明の請求項１４に係るイベント情報管理プログラムは、請求項１３に係るイベント情報管理プログラムにおいて、前記イベント情報管理手段が、前記第１の端末からのイベント情報の登録，更新，及び削除のいずれかの要求を受信する際、ＩＤ及びパスワードによる認証を行なう機能を実現させる。
【発明の効果】
【００２１】
本発明によれば、イベント情報をイベントコードに対応付けて管理するので、場所情報と時情報等の桁数の多い文字で構成されたイベント情報を数桁の数字で構成されたイベントコードで表すことができ、利用者は、携帯電話機等の利用者端末のスケジュールに極めて簡易な操作で自分の希望するイベント情報の最新情報を登録することができる。また、利用者が容易にスケジュール情報の入手、登録を行えるので、イベント主催者は、告知情報（イベント情報）を公開した後の内容追加、変更を容易に行うことができ、イベント情報の告知を有効的に行うことができる。
【発明を実施するための最良の形態】
【００２２】
まず本発明の概要を説明する。本発明は、利用者（ユーザ）は携帯電話機等の利用者端末（ユーザ端末）から極めて簡易な操作により、希望するイベント情報をサーバから取得して、ユーザ端末のスケジュール（カレンダー）情報に登録でき、サーバ側はイベント主催者から広告収入が得られ、イベント主催者はイベント情報を利用者に効果的に告知することができるイベント情報管理サービスを提供する。
【００２３】
より具体的に説明すると、イベント主催者はイベント情報とそのイベント情報にリンクしたイベントコード（数桁の数字）をイベント情報管理システムのイベント情報管理サーバに格納しているイベント情報登録テーブルに登録し、各種メディアを通してイベント情報とそのイベント情報にリンクしたイベントコードを告知する。利用者は告知情報から得られた自分が希望するイベント情報を取得するために、ユーザ端末を用いて、そのイベント情報にリンクしたイベントコードを通信ネットワークを介してイベント情報管理サーバに送信する。イベント情報管理サーバは、ユーザ端末から受信したイベントコードをもとにイベント情報登録テーブルを検索し、当該イベントコードが存在した場合には、そのイベントコードにリンクしたイベント情報をユーザ端末に配信する。次にユーザ端末は、イベント情報管理サーバから受信したイベント情報をユーザ端末に表示し、当該表示されたイベント情報についてスケジュール追加操作を受付けたときは、ユーザ端末のスケジュール記憶手段に格納されたスケジュール情報を当該イベント情報に基づき更新する。
【００２４】
次に、本発明の実施の形態について図面を参照して詳細に説明する。
【００２５】
図１は本発明の一実施の形態を示すブロック構成図である。図１において、本例のイベント情報管理システムは、収容した各種端末、サーバ間の通信を媒介する通信ネットワーク１と、通信ネットワーク１を介して、イベント主催者にイベントコードを払い出し、払い出したイベントコードとそのイベントコードにリンクしたイベント情報を記憶し、ユーザ端末４から要求のあったイベントコードをもとに、そのイベントコードにリンクしたイベント情報をユーザ端末４に配信するイベント情報管理サーバ２と、通信ネットワーク１を介して、イベント情報管理サーバ２に対してイベント主催者が希望するイベント情報を登録（及び、更新、削除、表示）し、対応するイベントコードを取得するイベント情報管理端末３と、通信ネットワーク１を介して、ユーザが希望するイベント情報をイベントコードに基づいてイベント情報管理サーバ２から取得してスケジュールに登録するユーザ端末４とから構成される。
【００２６】
通信ネットワーク１は、図示は１つであるが、移動体通信システムやインターネット等複数のネットワークを組み合わせた、広域でのデータ通信を可能としたネットワークである。
【００２７】
イベント情報管理サーバ２は、通信機能を有するコンピュータで構成され、イベント情報管理手段２１と、イベント情報配信手段２２と、イベント情報記憶手段２３とを備えている。
【００２８】
イベント情報管理手段２１としては、イベント主催者がイベント情報の登録を行う際、イベント情報記憶手段２３に格納しているイベントコード管理テーブル２３１から未使用のイベントコードを捕捉し、当該イベントコードを使用中として管理し、またイベント情報の削除を行った場合に、当該イベントコードを未使用中として管理するためのイベントコード管理機能と、イベント主催者に払い出したイベントコードとそのイベントコードにリンクしたイベント情報と、イベント主催者がイベント情報の登録を行う際、イベント情報管理サーバ２が運営している専用のＷＥＢ（ウエブ）ページにアクセスした時に入力したＩＤとパスワードをイベント情報記憶手段２３に格納しているイベント情報登録テーブル２３２に保存するイベント情報登録機能と、イベント主催者がイベント情報記憶手段２３に格納しているイベント情報登録テーブル２３２に保存したイベント情報を更新するイベント情報更新機能と、イベント情報記憶手段２３に格納したイベント情報を削除するイベント情報削除機能と、イベント主催者が登録したイベント情報とそのイベント情報にリンクしたイベントコードを表示するイベント情報表示機能とを有する。
【００２９】
イベント情報配信手段２２としては、ユーザ端末４から受信したイベントコードをもとに、イベント情報記憶手段２３に格納しているイベント情報登録テーブル２３２を検索し、当該イベントコードが存在した場合にそのイベントコードにリンクしたイベント情報をユーザ端末４に配信する機能を有する。また、イベント情報記憶手段２３には、イベントコード管理テーブル２３１とイベント情報登録テーブル２３２が保存されるための機能を有する。
【００３０】
イベント情報管理端末３は、ＷＷＷ（Ｗｏｒｌｄ  Ｗｉｄｅ  Ｗｅｂ）ブラウザ機能を具備したパーソナルコンピュータである。
【００３１】
ユーザ端末４は、スケジュール登録手段４１と、スケジュール記憶手段４２とを具備した携帯電話機である。
【００３２】
スケジュール登録手段４１としては、ユーザが希望するイベント情報にリンクしたイベントコードを入力するためのイベントコード入力機能と、入力したイベントコードをイベント情報管理サーバ２に送信するイベントコード送信機能と、イベント情報管理サーバ２から受信したイベント情報をユーザ端末４に表示するイベント情報表示機能と、当該表示されたイベント情報についてスケジュール追加操作を受付けたときは、ユーザ端末４のスケジュール記憶手段４２に格納されたスケジュール情報を当該イベント情報に基づき更新し、当該更新されたスケジュール情報をユーザ端末４に表示するスケジュール情報更新機能を有する。
【００３３】
また、スケジュール記憶手段４２には、イベント情報管理サーバ２から取り込んだイベント情報に基づき更新されかつ私的行事を入力して仕上げたスケジュール情報が保存されるための機能を有する。さらに、スケジュール情報にはイベント情報とリンクするイベントコードも保存しており、この保存したイベントコードをイベント情報管理サーバ２に送信する機能を有する。
【００３４】
次に、図１とともに、図２〜図８を参照して本実施の形態の動作について詳細に説明する。なお、あらかじめイベント主催者は、イベント情報管理システムの管理者にシステムの使用許可を申し込んでおき、契約成立後、システムへのアクセスのための「ＩＤ（識別番号）」と、「パスワード」との配布を受けているものとする。
【００３５】
図２はイベント情報の登録手順について説明するための図であり、イベント情報管理サーバ２での情報の記録対象となるイベント情報について、その登録を申請する手順を説明するための図である。
【００３６】
最初に、イベント主催者は、イベント主催者側に配備されたイベント情報管理端末３から、通信ネットワーク１を介して、イベント情報管理サーバ２が運営している専用のＷＥＢ（ウェブ）ページにアクセスする（ステップＳ１）。アクセスを受けたイベント情報管理サーバ２からＷＥＢデータが送信され、「ＩＤ、パスワード入力画面」が表示される（ステップＳ２）。この「ＩＤ、パスワード入力画面」上に、あらかじめ配布されたイベント主催者用ＩＤとパスワードを入力して送信する（ステップＳ３）。
【００３７】
イベント情報管理サーバ２では、受信したＩＤとパスワードをもとに配布の記録を検索し、アクセス者の正当性の認証を行う（ステップＳ４）。認証されると、イベント情報管理端末３に「メニュー画面」が表示される（ステップＳ５）。イベント主催者が、この「メニュー画面」上で「イベント情報登録画面」を選択すると（ステップＳ６）、「イベント情報登録画面」が表示される（ステップＳ７）。イベント情報管理サーバ２は、イベント情報管理手段２１のイベントコード管理機能により、新規にイベントコード（数桁の数字）を発行して（ステップＳ８）、イベント情報管理端末３の「イベント情報登録画面」に当該イベントコードを表示させる（ステップＳ９）。
【００３８】
イベント主催者は、「イベント情報登録画面」上で登録したいイベント情報について、そのイベント内容、日時、場所、当該イベントの入場券の価格、当該入場券の残存状況、その他必要な事項を入力して送信する（ステップＳ１０）。イベント情報管理サーバ２は、イベント情報管理手段２１のイベント情報登録機能により、イベント情報登録テーブル２３２に、イベント情報とイベントコード、及びＩＤとパスワードを保存し（ステップＳ１１）、イベント情報管理端末３に受付け完了を表示させる（ステップＳ１２）。
【００３９】
図３はイベント情報の更新手順について説明するための図であり、イベント情報管理サーバ２に登録したイベント情報について、そのイベント情報の内容を更新する手順を説明するための図である。
【００４０】
ステップＳ２１からステップＳ２５までの手順は、前記イベント情報登録手順のステップＳ１からステップＳ５までと同様の手順である。
【００４１】
イベント主催者が、イベント情報管理端末３の「メニュー画面」上で「イベント情報更新画面」を選択すると（ステップＳ２６）、イベント情報管理サーバ２は、イベント情報登録テーブル２３２に保存しているＩＤ及びパスワードと、入力したＩＤ及びパスワードが一致するイベント情報とそのイベント情報にリンクするイベントコードを検索し（ステップＳ２７）、ＩＤ及びパスワードが一致するイベント情報とそのイベント情報にリンクするイベントコードをイベント情報管理端末３の「イベント情報更新画面」に表示させる（ステップＳ２８）。
【００４２】
イベント主催者は、このイベント情報管理端末３の「イベント情報更新画面」上で、更新したい項目に必要情報を入力して送信する（ステップＳ２９）。イベント情報管理サーバ２は、イベント情報管理手段２１のイベント情報更新機能により、イベント情報登録テーブル２３２のイベント情報を更新して保存し（ステップＳ３０）、イベント情報管理端末３に受付け完了を表示させる（ステップＳ３１）。
【００４３】
図４はイベント情報の削除手順について説明するための図であり、イベント情報管理サーバ２に登録したイベント情報について、不要となったイベント情報を削除する手順を説明するための図である。
【００４４】
ステップＳ４１からステップＳ４５までの手順は、前記イベント情報登録手順のステップＳ１からステップＳ５までと同様の手順である。
【００４５】
イベント主催者が、イベント情報管理端末３の「メニュー画面」上で「イベント情報削除画面」を選択すると（ステップＳ４６）、イベント情報管理サーバ２は、イベント情報登録テーブル２３２に保存しているＩＤ及びパスワードと、入力したＩＤ及びパスワードが一致するイベント情報とそのイベント情報にリンクするイベントコードを検索し（ステップＳ４７）、ＩＤ及びパスワードが一致するイベント情報とそのイベント情報にリンクするイベントコードをイベント情報管理端末３の「イベント情報削除画面」に表示させる（ステップＳ４８）。
【００４６】
イベント主催者が、このイベント情報管理端末３の「イベント情報削除画面」上で、削除したいイベント情報を選択して送信する（ステップＳ４９）。イベント情報管理サーバ２は、イベント情報管理手段２１のイベントコード管理機能によりイベントコード管理テーブル２３１を更新する（ステップＳ５０）と伴に、イベント情報削除機能により、イベント情報登録テーブル２３２を更新し（ステップＳ５１）、イベント情報管理端末３に受付け完了を表示させる（ステップＳ５２）。
【００４７】
図５はイベント情報の表示手順について説明するための図であり、イベント情報管理サーバ２に登録したイベント情報について、そのイベント情報の内容を表示する手順を説明するための図である。
【００４８】
ステップＳ６１からステップＳ６５までの手順は、前記イベント情報登録手順のステップＳ１からステップＳ５までと同様の手順である。
【００４９】
イベント主催者が、イベント情報管理端末３の「メニュー画面」上で「イベント情報表示画面」を選択すると（ステップＳ６６）、イベント情報管理サーバ２は、イベント情報登録テーブル２３２に保存しているＩＤ及びパスワードと、入力したＩＤ及びパスワードが一致するイベント情報とそのイベント情報にリンクするイベントコードを検索し（ステップＳ６７）、ＩＤ及びパスワードが一致するイベント情報とそのイベント情報にリンクするイベントコードをイベント情報管理端末３の「イベント情報表示画面」に表示させる（ステップＳ６８）。
【００５０】
図８はイベント主催者が、イベント情報とそのイベント情報にリンクしたイベントコードを電車の車内広告、ＷＥＢ、ポスター、ラジオ、テレビ、新聞広告等のメディアを通して告知する場合の「電車の車内広告」の表示例である。この例では「××コンサート」というイベントに対して、４桁のイベントコード（ＩＣ：本例では「１２３４」）が使用されている。
【００５１】
図６は本発明のイベント情報管理サービスが利用される場合の流れを示す図であり、これに基づいて利用方法を説明する。
【００５２】
まず始めに利用者は、各種メディアを通して入手した自分が希望するイベント情報にリンクしたイベントコード（「１２３４」）をユーザ端末４のスケジュール登録手段４１のイベントコード入力機能により入力する（ステップＳ７１）。ユーザ端末４はイベントコード送信機能により、イベント情報管理サーバ２にイベントコードを送信する（ステップＳ７２）。
【００５３】
イベント情報管理サーバ２はイベント情報配信手段２２により、ユーザ端末４から受信したイベントコード（「１２３４」）をもとに、イベント情報記憶手段２３に格納しているイベント情報登録テーブル２３２を検索し、当該イベントコードが存在した場合にそのイベントコードにリンクしたイベント情報をユーザ端末４に配信する（ステップＳ７３）。
【００５４】
ユーザ端末４はイベント情報管理サーバ２からイベント情報を受信する（ステップＳ７４）と、スケジュール登録手段４１のイベント情報表示機能により受信したイベント情報を表示する（ステップＳ７５）。利用者が当該表示されたイベント情報について、スケジュールに追加する場合には、スケジュール情報更新機能によりスケジュール記憶手段４２に格納されたスケジュール情報が、当該イベント情報に基づき更新され、スケジュール情報に保存される（ステップＳ７６）。
【００５５】
図７はユーザ端末４のスケジュール情報に保存された私的行事とイベントコードをもとに取得したイベント情報に関するカレンダー画面とカレンダー画面の特定の日付を選択して、表示したスケジュール内容の表示画面の例である。カレンダー画面には、イベントコードをもとに取得したイベント情報が絵文字で表示されている。また、特定の日付（本例では、２月２６日）のスケジュールには、私的行事の内容とイベントコードをもとに取得したイベント情報とそのイベント情報にリンクするイベントコード（「１２３４」）が表示されている。
【００５６】
登録したイベント情報の最新情報を取得する場合には、当該表示されたイベントコードをもとにユーザ端末４のイベントコード送信機能により、イベント情報管理サーバ２にイベントコードを送信する。
【図面の簡単な説明】
【００５７】
【図１】本発明の一実施の形態を示すブロック構成図である。
【図２】イベント情報の登録手順について説明するための図である。
【図３】イベント情報の更新手順について説明するための図である。
【図４】イベント情報の削除手順について説明するための図である。
【図５】イベント情報の表示手順について説明するための図である。
【図６】イベント情報管理サービスが利用される場合の流れを示す図である。
【図７】ユーザ端末におけるイベントコードをもとに取得したイベント情報に関するスケジュール内容の画面表示例を示す図である。
【図８】イベント情報とそのイベント情報にリンクしたイベントコードを告知する場合の表示例を示す図である。
【符号の説明】
【００５８】
１    通信ネットワーク
２    イベント情報管理サーバ
３    イベント情報管理端末
４    ユーザ端末
２１    イベント情報管理手段
２２    イベント情報配信手段
２３    イベント情報記憶手段
４１    スケジュール登録手段
４２    スケジュール記憶手段
２３１    イベントコード管理テーブル
２３２    イベント情報登録テーブル
【図１】
2005050091.tif 000003
【図２】
2005050091.tif 000004
【図３】
2005050091.tif 000005
【図４】
2005050091.tif 000006
【図５】
2005050091.tif 000007
【図６】
2005050091.tif 000008
【図７】
2005050091.tif 000009
【図８】
2005050091.tif 000010